(57)【要約】【課題】  ヒンジ構造を有する箱体であって、使用者がスムーズに開閉を行い得る箱体の開閉及び係止構造を提供する。【解決手段】  容器は、箱状の本体３と、本体３の上端開放面を被蓋する蓋体２と、本体３と蓋体２とをヒンジ構造によって開閉自在とする把持開閉体４と、からなる。把持開閉体４は、ヒンジ構造よりも上方に把持部３４を有するとともに、蓋体２に回動可能に保持される。ヒンジ構造は、本体３の側壁１１ａ、１１ｂから側方に突出させたヒンジ軸１４ａ、１４ｂに、把持開閉体４に形成されたフック３２、３２が係合する。フック３２、３２は、把持開閉体４を回動した開蓋状態で、鉤口からヒンジ軸１４ａ、１４ｂとの係合を解除して開蓋動作を可能にする。使用者は、把持開閉体４を回動してフック３２の係合を解除した後、そのまま引っ張り上げることで、手を持ち替えずに蓋体２を開けることができる。【選択図】  図１
2020070094.tif 000002
【特許請求の範囲】
【請求項１】
箱状の本体と、該本体の上端開放面を被蓋する蓋体と、前記本体と前記蓋体とをヒンジ機構により開閉自在とする把持開閉体と、からなる容器において、
前記ヒンジ機構は、前記本体に支持されたヒンジ軸と、前記蓋体に回動可能に支持された前記把持開閉体に形成されたフックと、からなり、前記ヒンジ軸と前記フックの係合により前記本体と前記蓋体とを係合し、
前記フックは、前記把持開閉体の回動により、鉤口から前記ヒンジ軸との係合を解除して開蓋動作を可能にすることを特徴とする蓋体の開閉及び係止構造。
【請求項２】
把持開閉体は、両側端から外方に突出し、閉蓋状態でヒンジ軸と同軸方向となる突起軸を軸心として蓋体に回動自在に軸支され、
前記把持開閉体のフックは、閉蓋状態において開蓋動作における軸抜け方向を遮蔽し、開蓋状態において開蓋動作における軸抜け方向に鉤口が一致することを特徴とする請求項１に記載の蓋体の開閉及び係止構造。
【請求項３】
把持開閉体は、ヒンジ軸に係合する複数のフックの上端から形成される一つの把持部を有し、開蓋状態で前記把持開閉体の回動を規制するストッパーを設けたことを特徴とする請求項１または２のいずれかに記載の蓋体の開閉及び係止構造。
【請求項４】
把持開閉体は、フックの上端から鉛直方向に立ち上がる立ち上がり部と、該立ち上がり部から本体方向に向けて水平方向となるように折曲した把持部を有し、
把持開閉体の回動を規制するストッパーは、閉蓋状態から外方に向けて立ち上がり部が水平方向となる位置を開蓋状態として規制することを特徴とする請求項３に記載の蓋体の開閉及び係止構造。
【請求項５】
蓋体は、閉蓋状態において把持開閉体が配置される位置を凹ませた凹部を有することを特徴とする請求項１、２、３または４のいずれかに記載の蓋体の開閉及び係止構造。
【発明の詳細な説明】
【技術分野】
【０００１】
本発明は、容器の蓋体の開閉及び係止に関する構造であって、特に携帯用小型箱体の蓋体に係るものに関する。
【背景技術】
【０００２】
従来から、容器本体の側壁から突出した支持体にヒンジ軸を形成して、蓋から突出したフックをヒンジ軸に係合させるヒンジ構造を用いた先行技術は存在した。
【先行技術文献】
【特許文献】
【０００３】
【特許文献１】特開２０００−８０８５２号公報
【特許文献２】特開２００３−２０８５２号公報
【発明の概要】
【発明が解決しようとする課題】
【０００４】
特許文献にかかる先行技術は、いずれも容器と蓋体と、からなる箱体で、ヒンジ構造による開閉構造を有するものである。例えば、特許文献１の図２に示すように、バックルかぎ４を蓋２に取り付けられた丸棒のかぎ受け３に係合させて、蓋をロックするものである。
【０００５】
ところが、このような蓋体の開閉及び係止構造では、スムーズな開閉が実現できず、特に携帯用小型箱体には適さないものであった。すなわち、特許文献にかかる先行技術の箱体を開閉するためには、まずバックルかぎ４の係合を解除し、そして、使用者がバックルかぎ４から蓋体２を持ち替えて、蓋体２を開けなければならず、２段階の操作が必要であった。このような開閉及び係止構造は、大型の箱体であれば必要であったが、特に携帯用小型箱体のように大型箱体よりも何度も開閉するものであれば、このような２段階の開閉操作ではなく、よりスムーズな開閉が求められていた。
【０００６】
そこで、本発明は、ヒンジ構造を有する箱体であって、使用者がワンタッチでスムーズに開閉を行い得る箱体の開閉及び係止構造を提供するものである。
【課題を解決するための手段】
【０００７】
本発明の蓋体の開閉及び係止構造は、箱状の本体と、該本体の上端開放面を被蓋する蓋体と、前記本体と前記蓋体とをヒンジ機構により開閉自在として把持部を有する把持開閉体と、からなる容器において、前記ヒンジ機構は、前記本体に支持されたヒンジ軸と、前記蓋体に回動可能に支持された前記把持開閉体に形成されたフックと、からなり、前記ヒンジ軸と前記フックの係合により前記本体と前記蓋体とを係合し、前記フックは、前記把持開閉体の回動により、鉤口から前記ヒンジ軸との係合を解除して開蓋動作を可能にすることを特徴とするものである。
【０００８】
また、把持開閉体は、両側端から外方に突出し、閉蓋状態でヒンジ軸と同軸方向となる突起軸を軸心として蓋体に回動自在に軸支され、前記把持開閉体のフックは、閉蓋状態において開蓋動作における軸抜け方向を遮蔽し、開蓋状態において開蓋動作における軸抜け方向に鉤口が一致するを有することが好ましい。
【０００９】
また、把持開閉体は、ヒンジ軸に係合する複数のフックの上端から形成される一つの把持部を有し、開蓋状態で前記把持開閉体の回動を規制するストッパーを設けることが好ましい。
【００１０】
また、把持開閉体は、フックの上端から鉛直方向に立ち上がる立ち上がり部と、該立ち上がり部から本体方向に向けて略水平方向となるように折曲した把持部を有し、把持開閉体の回動を規制するストッパーは、閉蓋状態から外方に向けて立ち上がり部が略水平方向となる位置を開蓋状態として規制することが好ましい。
【００１１】
また、蓋体は、閉蓋状態において把持開閉体が配置される位置を凹ませた凹部を有することが好ましい。
【発明の効果】
【００１２】
請求項１記載の発明により、蓋体に支持された把持開閉体のフックと、本体に支持された支持軸とのヒンジ機構により、使用者は把持開閉体の把持部を把持して回動させて開蓋状態とし、そのまま把持部を持ち上げると蓋体を開けることができる。このように、手を持ち替えずにワンタッチで蓋体を開けることが可能になる。
【００１３】
請求項２記載の発明により、把持開閉体の回動軸と本体の支持軸とが同軸となることで、コンパクトな構成により把持開閉体の回動とヒンジ構造を実現することができるとともに、閉蓋状態でのヒンジ構造の係合を確実とすることができる。
【００１４】
請求項３に記載の発明により、ストッパーと蓋体の当接により、把持開閉体の必要以上の回動を防ぎ、把持開閉体を回動しながら安定して引っ張り上げて、ワンタッチで蓋体を開けることができる。
【００１５】
請求項４記載の発明により、開蓋状態で把持部が略鉛直方向となり、使用者が容易に把持できる状態となり、使用者に利用しやすい状態とすることができる。
【００１６】
請求項５記載の発明により、閉蓋状態で蓋体の把持開閉体が配置される位置を凹ませているため、使用者がこの凹部に指を挿入し易くし、この挿入により把持開閉体を回動させるように動作させることができる。
【図面の簡単な説明】
【００１７】
【図１】本発明の実施形態の箱体の全体斜視図である。
【図２】図１の状態から開蓋した状態の全体斜視図である。
【図３】図１の状態から把持開閉部の係合状態を示す一部拡大斜視図である。
【図４】本実施形態にかかる本体のみの平面図である。
【図５】図４の本体のみのＡ−Ａ線断面図である。
【図６】本実施形態にかかる蓋体のみの平面図である。
【図７】本実施形態のフックと支持軸との係合状態を示す図１のB-B線一部拡大断面図であり、（ａ）が係合した閉蓋状態、（ｂ）が係合を解除した開蓋状態を示す。
【図８】本実施形態の支持軸とストッパーとの係合状態を示す図１のC-C線一部拡大断面図であり、（ａ）が係合していない閉蓋状態、（ｂ）が把持開閉体を９０度回動してストッパーが係合した開蓋状態を示す。
【図９】本実施形態の係止部と被係止部との係合状態を示す図１のD-D線一部拡大断面図であり、（ａ）が係止部と被係止部とが係合した閉蓋状態、（ｂ）が把持開閉体を９０度回動して係合状態を解除した開蓋状態を示す。
【発明を実施するための形態】
【００１８】
本発明の実施の形態について説明する。図１、２に示すように、本発明の箱体１は、蓋体２と、本体３と、把持開閉体４、４と、からなる。本体３は、上方が開放された容器状（箱状）のものであり、開放された部位を蓋体２により開閉するものである。
【００１９】
本説明において、図１の箱体１の一方の把持開閉体４がある手前側を前方とし、奥側の把持開閉体４を後方とし、本体３の長手方向を左右方向として説明する。また、箱体１の高さ方向を鉛直方向、垂直方向とし、この鉛直方向、垂直方向に直交する方向を水平方向として説明する。また、図１に示す本体３の上方を蓋体２により閉じた状態を閉蓋状態とし、把持開閉体４を回動してヒンジ軸１４ａ、１４ａとの係合を解除可能にした状態を開蓋状態とし、この開蓋状態から図２に示すように蓋体２を開ける動作を開蓋動作として説明する。
【００２０】
本実施形態における箱体１は、比較的小型のものであり、両側方の長手方向長さを２１３ｍｍ、前後方向長さを１０６ｍｍとし、本体３の高さを２８ｍｍとした容器である。主に工具におけるビス等の小型物や釣り用のハリス等を適宜開閉して取出しし易くしたものである。
【００２１】
箱体１は、本体３の長手方向（左右方向）の両側において、前後端から延長してループ状に突出する保持部５、５を有している。この保持部５、５を有することにより、使用者はカラビナ等のフックを掛けて箱体１をズボンのベルト掛けに取り付けて携帯することができ、小型容器であることで携帯しながらワンタッチで開閉して内容物を取り出すことが可能になる。
【００２２】
まず、本実施形態の本体３について説明する。本体３は、図２、４に示すように、四方に丸みを持たせた方形状の底面の端縁から立ち上がる壁面を有し、上方を開放した箱状の形態を有する。図５に示すように、前側の前側壁１１ａと、後側の後側壁１１ｂと、保持部５、５が配置された両側方の側方壁と、からなり、底面の四方の丸みに合わせて各壁面の接合部分（角部分）もアールを形成している。前側壁１１ａ、後側壁１１ｂ及び両側方の側方壁の上部付近から外方に突出する鍔部１２が各壁面の全周に亘り形成される（図４参照）。
【００２３】
図２、４に示すように、本体３の前側壁１１ａには、鍔部１２より更に外方に突出するように、一対の軸支持部１３ａ、１３ａが２ヶ所（後側も同じく２カ所）形成される。この一対の軸支持部１３ａ、１３ａ間に、比較的短く、本体３の長手方向と同じ方向を軸方向とするヒンジ軸１４ａ、１４ａが両端を支持されるように配置され、ヒンジ軸１４ａは太さを一定とした略丸棒形状としている。
【００２４】
また、２つのヒンジ軸１４ａ、１４ａの間には、比較的長い支持軸１５ａが同じく軸支持部１３ａ、１３ａにより両端を支持するように配置されるが、中央に位置する軸支持部１３ａ、１３ａの間には、支持軸が配置されていない開放部１６を形成している。支持軸１５ａはヒンジ軸１４ａと長手方向長さが異なるが、その太さ及び形状を同じくしている。本体３の後側壁１１ｂにも、一対の軸支持部１３ｂ、１３ｂ、ヒンジ軸１４ｂ、支持軸１５ｂ、開放部１６を前側壁１１ａと前後対称にして同じように形成している。
【００２５】
ヒンジ軸１４ａ及び支持軸１５ａは、鍔部１２の外方側端縁よりも外方に位置し、ヒンジ軸１４ａ及び支持軸１５ａと本体３の鍔部１２との間に隙間を形成している。後述のとおり、この隙間に把持開閉体４、４のフック３２、３２が回動可能に挿入される。
【００２６】
次に、蓋体２について説明する。蓋体２は、図１乃至３に示すように、本体３の上方の開放端を覆うように形成された形態であり、角を丸めた方形状のものである。蓋体２の外周端縁は、本体３の外周端縁よりも一回り広く、本体３から外方に突出した鍔部１２の外周端縁に沿うようにしている。蓋体２の外周付近は湾曲して、その端縁部分の厚み面２８が下方を向くように形成しており、この外周端縁の厚み面２８が鍔部１２に当接して蓋体２が本体３を閉じるようにしている。
【００２７】
なお、蓋体２の外周端縁の厚み面２８は、全周に亘り形成され上方に凹むパッキン溝と、この溝に嵌合したパッキンと、を有しており、容器内を密閉可能としている。パッキンは例えばゴムやシリコンからなるループ状のチューブとしている。
【００２８】
図６に示すように、蓋体２の表面の前側及び後側には、後述する把持開閉体４、４の係止状態の取り付け位置となる部分の周囲を略コの字状で囲むような隆起部２１、２１が形成されている。蓋体２の表面は、各々隆起部２１、２１により囲まれた前後方向外側の部分（把持開閉体４、４を配置する部分、隆起部２１、２１により囲まれる部分）をその他の部分よりも一段低くなる凹部２７、２７が形成される。この凹部２７、２７の両側方から一部突出した複数の凸部２５、２５を形成し、後述するように閉蓋状態で把持開閉体４、４と当接する。
【００２９】
隆起部２１、２１の長手方向中央部分には、一部隆起しない非隆起部２６、２６がある。この非隆起部２６、２６が形成されることで、閉蓋状態で使用者が把持開閉体４、４の下方に指を挿入し易くしており、把持開閉体４、４を把持して開蓋状態にするように回動させることができる。
【００３０】
図３に示すように、隆起部２１、２１の両側方端は、把持開閉体４、４を回動可能に支持するために、蓋体２から外側に突出し、下方に垂下した取付部２１ａ、２１ａが形成されている。この取付部２１ａ、２１ａにはヒンジ軸１４ａ、１４ａと同軸方向に並ぶ丸穴が形成される。
【００３１】
次に、把持開閉体４、４について説明する。本説明において、一方（前方）の把持開閉体４とヒンジ軸１４ａ、１４ａとの形状は、他方（後方）の把持開閉体４とヒンジ軸１４ｂ、１４ｂとの形状と同じであるため、他方の把持開閉体４の説明を省略する。本実施形態に係る把持開閉体４、４は、図１、２、７に示すように、主に、４つのヒンジ軸１４ａ、１４ａに係合するフック３２、３２と、このフック３２、３２の上端から連続して立ち上がる４つの立ち上がり部３３、３３と、この４つの立ち上がり部３３、３３の上端から連続して１つの把持部３４が形成される。
【００３２】
図３に示すように、把持開閉体４、４は、把持部３４から長手方向両側（左右両側）から垂下した係合部３１、３１から、さらに左右方向に突出した突起軸３１ａ、３１ａが、蓋体２の取付部２１ａ、２１ａに形成された丸穴に回動自在に係合することで、回動自在に配置される。この係合部３１、３１に形成された突起軸３１ａは、ヒンジ軸１４ａ、１４ａと支持軸１５ａ、１５ａと同軸方向に並ぶように形成されることから、把持開閉体４、４を回動すると、フック３２、３２がヒンジ軸１４ａ、１４ａの周囲を回動するヒンジ構造とすることができる。
【００３３】
また、把持開閉体４、４の左右方向の中央に、後述の被係止部２４の左右方向の端部に回動自在に係合する補助係合部３６が形成され、この補助係合部３６にも係合部３１の突起軸３１ａと同じく同軸方向に並ぶ同径の突起軸があり、被係止部２４の左右方向の端部に形成された丸穴に嵌まり込む。これにより、把持開閉体４の回動や蓋体２の分離を補助・補強している。
【００３４】
このように、把持開閉体４、４は突起軸３１ａ、３１ａとヒンジ軸１４ａ、１４ａとが同軸方向に形成されていることから、回動をスムースにできる。さらに、仮に突起軸３１ａ、３１ａがヒンジ軸１４ａ、１４ａの上方に形成された場合にはフック３２、３２がより本体３側に回動してしまうなど、コンパクトな構成とすることができない。
【００３５】
また、把持開閉体４、４は前側と後側に２つ配置され、各々独立して開閉することができ、一方の把持開閉体４のフック３２、３２を解除すると、もう一方の把持開閉体４のフック３２、３２がヒンジ軸１４ａ、１４ａの周囲を回動するヒンジ構造として、蓋体２が開く開蓋状態となる。また、両方の把持開閉体４、４のフック３２、３２を解除すると、蓋体２を完全に外すことも可能になる。
【００３６】
次に、把持開閉体４、４と本体３のヒンジ軸１４ａ、１４ａとフック３２、３２との係合について説明する。図１に示すように、把持部３４は斜め上方に湾曲しながら後方（本体の中央方向）に延長した形状として、その左右方向寸法を前後方向寸法よりも長く形成される。図１、６に示すように、把持部３４は、上述のとおり、閉蓋状態で凸部２５、２５に当接して、隆起部２１に囲まれた蓋体２の凹部２７、２７を覆うように配置される。図７（ａ）に示すように、閉蓋状態では、把持部３４は、その上面が隆起部２１の上面から緩やかに湾曲するような形状となる。
【００３７】
把持部３４の下端から連続する複数のフック３２、３２は、鉤状に形成されて、鉤の内側にヒンジ軸１４ａ、１４ａを当接して係合する。閉蓋状態では、フック３２の鉤口が外側を向いて、フック３２、３２とヒンジ軸１４ａ、１４ａとの係合状態が保持される。これは、フック３２、３２に係合されたヒンジ軸１４ａ、１４ａの軸抜け方向が図面上での上下方向であり、鉤口が図面上で左右方向であることから、ヒンジ軸１４ａ、１４ａの軸抜け方向をフック３２、３２が遮蔽している。
【００３８】
一方、把持開閉体４は、図７（ａ）に示す閉蓋状態から、図７（ｂ）に示す開蓋状態へ上述した突起軸を軸心として回動することができる。この回動は、後述のストッパー３７により制止される位置まで約９０度、外側に向けて回動することで開蓋状態とする。この回動角度は、本実施形態では９０度の回動であるが、誤差を許容する範囲で略９０度としている。
【００３９】
この開蓋状態では、フック３２の鉤口が図面上下方を向いて、フック３２、３２とヒンジ軸１４ａ、１４ａとの係合状態が解除できる状態となる。これは、フック３２、３２に係合されたヒンジ軸１４ａ、１４ａの軸抜け方向が図面上での上下方向であり、鉤口が図面上で上下方向であることから、ヒンジ軸１４ａ、１４ａの軸抜け方向と鉤口の方向が一致している。そして、把持開閉体４の把持部３４を摘み、蓋体２を上方に押し上げれば、図２に示すように、フック３２の鉤口からヒンジ軸１４ａが外れて、把持開閉体４、４ごと蓋体２を開ける開蓋動作を行うことが可能になる。
【００４０】
把持部３４は、フック３２、３２の上端から鉛直方向に立ち上がり部３３、３３が形成され、この立ち上がり部３３、３３の上端から湾曲し、先端付近が水平方向になる。本実施形態において把持部３４は湾曲するものであるが、鉛直方向の立ち上がり部から曲げて水平方向となるようにすればよい。この把持部３４が折曲、湾曲しているため、把持開閉体４を回動した状態で、把持部３４の先端が上方を向く。さらに把持開閉体４の閉蓋状態で配置される蓋体２には凹部２７が形成され、把持部３４が湾曲する湾曲部分が形成されることから、この湾曲部分の内面側と蓋体２との間に所定の隙間Ｓが形成される。この隙間Ｓに使用者が指を挿入して把持開閉体４を摘み易くすることができる。
【００４１】
つまり、使用者は把持部３４を指で起こして把持開閉体４を回動し、そのまま把持部３４を指で掴みながら上方に引っ張ることで、手を持ち替えずにワンタッチで蓋体２を開けることができる。そして、この隙間Ｓが形成されることで、小型の収納箱であっても使用者が容易に把持部３４を摘み、開閉させることが可能になる。
【００４２】
次に、把持開閉体４、４の係止、及び、過度な回動を抑制するストッパー３７について説明する。図１及び図８（ａ）、（ｂ）に示すように、本体３にはヒンジ軸１４ａ、１４ａと同軸状に並ぶ支持軸１５ａ、１５ａが形成されており、この支持軸１５ａ、１５ａに係合する被支持部２２、２２を一部切り欠いたガイド溝２３、２３にストッパー３７、３７が形成される。
【００４３】
被支持部２２、２２は、蓋体２の凹部２７の外方端から連続して形成され、下方を鉤口とした鉤状に形成された筒状体としている。図８（ａ）に示すように、把持開閉体４とはストッパー３７を除いて干渉しておらず、把持開閉体４を回動し、開蓋状態にするときには下方に形成した鉤口から支持軸１５ａ、１５ａとの係合を解除することができる（図８（ｂ）参照）。また、他方の把持開閉体４を回動して開蓋状態とするときには、被支持部２２、２２の筒状体の内部で支持軸１５ａ、１５ａを軸心として蓋体２と一方の把持開閉体４とを回動することができる。
【００４４】
被支持部２２、２２には、図３、図８（ａ）、（ｂ）に示すように、被支持部２２の筒の円周方向に沿うように切り欠いた２つのガイド溝２３、２３を有し、このガイド溝２３、２３の下方側壁には下壁２３ａ、２３ａが形成される。下壁２３ａ、２３ａは、水平面となるように形成され、後述するストッパー３７、３７が係合した状態で、把持開閉体４、４が約９０度回動する位置で係止するように位置している。
【００４５】
一方、把持開閉体４は、把持部３４の湾曲部分の下縁から本体３の中央方向に延長したうえで下方に延長したストッパー３７、３７が形成されている。このストッパー３７、３７は、図８（ａ）に示すように、把持開閉体４の回動に伴いガイド溝２３内を摺動し、開蓋状態ではガイド溝２３、２３の下壁２３ａ、２３ａ、２３ａに係合する。
【００４６】
ストッパー３７は、開蓋状態では下壁２３ａと係合するが、閉蓋状態で被支持部２２の内面壁に係合する。これにより、閉蓋状態への回動を抑止することができる。
【００４７】
次に、閉蓋状態を保持する機構について説明する。閉蓋状態を保持するためには、本実施形態では係止突起３５ａと被係止凹部２４ａとの係り止めにより行っている。
【００４８】
この開蓋状態の保持機構は、図１に示すように、開放部１６、１６（図４参照）の位置に、蓋体２から延長して形成される被支持部２２と略同一形状となる被係止部２４、２４と、この被係止部２４、２４の内側上面を一部凹ませた被係止凹部２４ａ、２４ａと、この位置に把持部３４の湾曲部分の下縁から本体３の中央方向に延長したうえで下方に延長して突出した係止突起３５ａ、３５ａとからなる。閉蓋状態ではこの係止突起３５ａ、３５ａが被係止凹部２４ａ、２４ａに嵌まり込んで、閉蓋状態が係止、保持され、開蓋状態とするときには、把持開閉体４、４を回動すると、係止突起３５ａ、３５ａと被係止凹部２４ａ、２４ａとの係止が解除される。
【符号の説明】
【００４９】
１：箱体、２：蓋体、３：本体、４：把持開閉体、１１ａ：前側壁、１１ｂ：後側壁、１４ａ：ヒンジ軸、１４ｂ：ヒンジ軸、２４：被係止部、３１：係合部、３２：フック、３４：把持部、３５：係止部、３７：ストッパー。
【図１】
2020070094.tif 000003
【図２】
2020070094.tif 000004
【図３】
2020070094.tif 000005
【図４】
2020070094.tif 000006
【図５】
2020070094.tif 000007
【図６】
2020070094.tif 000008
【図７】
2020070094.tif 000009
【図８】
2020070094.tif 000010
【図９】
2020070094.tif 000011